(57)【要約】【課題】その外観を損なうことなく、建物内の壁などに設けられた開口部の開口面だけでなく壁面にも取付可能なスクリーン昇降装置を提供すること。【解決手段】スクリーン昇降装置１の右ガイドレールが、内レール（コア３１）と外レールとに分割可能であり、さらに、外レールがベース３２とカバー３３とに分割可能である。このことにより、ベース３２の形状を構造物の壁面の形状に合わせることにより、例えばベース３１を建物内の壁などの壁面へベース３２をビスやボルトなどで取り付け、さらに、内レールとしてのコア３１を内包するようにそのベース３２へカバー３３を固定するといった具合に、建物内の壁などの壁面にも外レールを取り付けることができる。なお、左ガイドレールについても上述の右ガイドレールと同様である。【選択図】図５
2006063738.tif 000002
【特許請求の範囲】
【請求項１】
構造物の開口部を閉鎖可能なスクリーンと、
前記スクリーンを前記開口部に沿って案内する一対のガイドレールと、
を備えるスクリーン昇降装置であって、
前記ガイドレールは、
前記スクリーンの端部を内包して前記開口部の開口面と平行な方向に前記スクリーンを案内するガイド溝を有する内レールと、
前記内レールを収納して前記構造物に固定される外レールと、
を備えており、
前記外レールは、前記ガイドレールを前記構造物へ取り付けるための取付部材と前記内レールを覆うための被覆部材とから構成されていること
を特徴とするスクリーン昇降装置。
【請求項２】
請求項１に記載のスクリーン昇降装置において、
前記外レールについては、前記内レールを内包した状態で前記被覆部材が前記取付部材に取り付けられており、
前記内レールは、
前記取付部材を係止することにより前記取付部材が前記内レールから離間するのを防止する取付部材係止部と、
前記被覆部材を係止することにより前記被覆部材が前記内レールから離間するのを防止する被覆部材係止部と、
を備えることを特徴とするスクリーン昇降装置。
【請求項３】
請求項１に記載のスクリーン昇降装置において、
前記取付部材または前記被覆部材の一方は、前記外レールに前記内レールを内包した状態で前記取付部材または前記被覆部材の他方を係止可能な外レール係止部を備え、
前記内レールは、
前記取付部材を係止することにより前記取付部材が前記内レールから離間するのを防止する取付部材係止部と、
前記被覆部材を係止することにより前記被覆部材が前記内レールから離間するのを防止する被覆部材係止部と、
を備え、
前記外レール係止部および前記取付部材係止部は、協働して前記取付部材が前記内レールから離間するのを防止し、
前記外レール係止部および前記被覆部材係止部は、協働して前記被覆部材が前記内レールから離間するのを防止し、
前記外レール係止部、前記取付部材係止部および前記被覆部材係止部は、協働して前記取付部材と前記被覆部材とが互いに離間するのを防止すること
を特徴とするスクリーン昇降装置。
【請求項４】
請求項１〜請求項３の何れかに記載のスクリーン昇降装置において、
前記スクリーンを巻き取り可能なスクリーン巻き取り部と、
前記スクリーン巻き取り部を遠隔操作するための手動操作部と、
を備え、
前記手動操作部は、その操作部分が前記外レールから露出するよう前記ガイドレールの内部に設置され、前記ガイドレールの内部に配索されたケーブルを介して前記スクリーン巻き取り部と接続されていること
を特徴とするスクリーン昇降装置。
【請求項５】
請求項１〜請求項４の何れかに記載のスクリーン昇降装置において、
前記一対のガイドレールにおける前記取付部材と前記被覆部材との間にその両端をそれぞれ挿入することにより前記一対のガイドレールを連結する連結部材を備えることを特徴とするスクリーン昇降装置。
【請求項６】
請求項５に記載のスクリーン昇降装置において、
前記取付部材または前記被覆部材の少なくとも一方は、前記連結部材を支持する支持部を備えることを特徴とするスクリーン昇降装置。
【請求項７】
請求項１〜請求項６の何れかに記載のスクリーン昇降装置において、
前記ガイドレールの下端部が設置される床面に予め取り付けられ、前記ガイドレールの下端部から挿入されることにより前記ガイドレールがねじれるのを防止するガイドレール固定具を備えることを特徴とするスクリーン昇降装置。
【発明の詳細な説明】
【技術分野】
【０００１】
本発明は、その外観を損なうことなく、建物内の壁などの構造物に設けられた開口部の開口面だけでなく壁面にも取付可能なスクリーン昇降装置に関する。
【背景技術】
【０００２】
従来より、火災の発生時にスクリーンによって建物内の壁などの構造物に設けられた開口部を閉鎖し、炎や煙が開口部を通過するのを防止するスクリーン昇降装置が知られている。
【０００３】
このようなスクリーン昇降装置では、構造物の開口部を閉鎖可能なスクリーンと、スクリーンを開口部に沿って案内する一対のガイドレールと、を備えている。
また、このようなスクリーン昇降装置の中には、上述のガイドレールがスクリーンの端部を案内するための内レールと内レールを収納するための開口部を有する外レールとから構成され、外レールの開口部から挿入したビスやボルトなどを用いて、構造物の開口面へ取り付けるよう構成されたものがある（例えば、特許文献１参照。）。
【特許文献１】特開２００２−２１３１６７号公報（第３〜５頁、図１）
【発明の開示】
【発明が解決しようとする課題】
【０００４】
しかし、上述のようなスクリーン昇降装置においては、構造物の開口部へ固定する際には外レールの開口部からビスやボルトなどを挿入するため、構造物の開口面への外レールの固定は容易であるが、構造物の壁面への外レールの固定は困難であった。なお、例えばＬ字型のブラケットなどを用いて構造物の壁面へ固定することも考えられるが、直線的な印象を与えるガイドレールの外観が上述のようなブラケットによって損なわれるという問題がある。
【０００５】
本発明は、このような不具合に鑑みなされたものであり、その目的とするところは、その外観を損なうことなく、建物内の壁などの構造物に設けられた開口部の開口面だけでなく壁面にも取付可能なスクリーン昇降装置を提供することにある。
【課題を解決するための手段】
【０００６】
上記課題を解決するためになされた請求項１に係るスクリーン昇降装置（１：この欄においては、発明に対する理解を容易にするため、必要に応じて「発明を実施するための最良の形態」欄で用いた符号を付すが、この符号によって請求の範囲を限定することを意味するものではない。）は、構造物の開口部を閉鎖可能なスクリーン（１０）と、スクリーンを開口部に沿って案内する一対のガイドレール（３０，４０）と、を備えるスクリーン昇降装置であって、ガイドレールは、スクリーンの端部（１１ｃ）を内包して開口部に沿って案内するガイド溝（３１ｄ）を有する内レール（３１）と、内レールを収納して構造物に固定される外レールと、を備えており、外レールは、ガイドレールを構造物へ取り付けるための取付部材（３２）と内レールを覆うための被覆部材（３３）とから構成されていることを特徴とする。なお、上述の「構造物」の具体例としては、建物内の壁などが挙げられる。
【０００７】
このような本発明によれば、スクリーン昇降装置の外レールが取付部材と被覆部材とから構成されているので、外レールの取付部材の形状を構造物の壁面の形状に合わせることにより、例えば外レールを構造物の壁面へ取付部材をビスやボルトなどで取り付け、さらに、内レールを内包するようにその取付部材へ被覆部材を固定するといった具合に、構造物の壁面にも外レールを取り付けることができる。つまり、例えばＬ字型のブラケットなどを用いなくても、外レールを構造物の壁面へ固定することができるので、その外観を損なうことなく、構造物の開口部の開口面だけでなく壁面へも取付可能とすることができる。
【０００８】
また、例えばガイドレールが内レールと外レールとに分割されていない場合において外観向上のためにガイドレールに塗装を施したときには、スクリーンの端部を案内するガイド溝部分にも塗装が施されるため、スクリーンの摺動性能が悪くなるおそれがあった。これに対して本発明によれば、ガイドレールが内レールと外レールとから構成され、さらに、外レールが取付部材と被覆部材とから構成されるので、内レールには塗装を施さずに外レールのみに塗装を施すことや外レールの被覆部材のみに塗装を施すことができ、スクリーンの摺動性能を維持することができる。
【０００９】
また、本発明によれば、内レールの形状はそのままで外レールの形状を変更すれば、構造物に設けられた様々な形状の開口面や壁面に対して上述のガイドレールを取り付け可能とすることができる。
【００１０】
また、本発明によれば、スクリーンの端部が内レールのガイド溝によって案内されるよう構成されているので、スクリーンの端部と内レールのガイド溝との密着性を高めることにより、例えばガイドレールが内レールと外レールとに分割されていない場合に比べて、構造物の開口部を火災時の炎や煙などが通過するのを防ぐことができる。
【００１１】
上述のガイドレールについては、次のように外レールと内レールとが互いに係止し合うように構成することが考えられる。すなわち、（イ）取付部材および被覆部材が内レールから離間するのを防止するよう構成することが考えられる。具体的には、請求項２のように、外レールについては、前記内レールを内包した状態で被覆部材が取付部材に固定されており、内レールが、取付部材を係止することにより取付部材が内レールから離間するのを防止する「取付部材係止部」（３１ｅ）と、被覆部材を係止することにより被覆部材が内レールから離間するのを防止する「被覆部材係止部」（３１ｆ）と、を備えることが考えられる。（ロ）また、内レールと外レールとが互いに離間するのを防止するよう構成することが考えられる。具体的には、請求項３のように、取付部材または被覆部材の一方が、外レールに内レールを内包した状態で、取付部材または被覆部材の他方を係止可能な「外レール係止部」（１３２ｉ，１３３ｇ）を備え、内レールが、取付部材を係止することにより取付部材が内レールから離間するのを防止する「取付部材係止部」（３１ｅ）と、被覆部材を係止することにより被覆部材が内レールから離間するのを防止する「被覆部材係止部」（３１ｆ）と、を備える。そして、外レール係止部および取付部材係止部が、協働して取付部材が内レールから離間するのを防止し、外レール係止部および被覆部材係止部が、協働して被覆部材が内レールから離間するのを防止し、外レール係止部、取付部材係止部および被覆部材係止部が、協働して取付部材と被覆部材とが互いに離間するのを防止することが考えられる。
【００１２】
このようにすれば、ガイドレールが内レールと外レールとに分割され、外レールが取付部材と被覆部材とに分割されていても、これら各部材が互いに係止し合うので、施工時などにガイドレールに作用するねじり応力に対する強度を高めることができる。
【００１３】
ところで、従来のスクリーン昇降装置においては、スクリーンを巻き取り可能なスクリーン巻き取り部を遠隔操作するための手動操作部が、ガイドレールの外部に取り付けられることが多く、直線的な印象を与えるガイドレールの外観が上述の手動操作部や遠隔操作用ケーブルによって損なわれるという問題がある。そこで、手動操作部をガイドレールの内部に配置することが考えられる。具体的には、請求項４のように、スクリーンを巻き取り可能なスクリーン巻き取り部（２０）と、スクリーン巻き取り部を遠隔操作するための手動操作部（８０）と、を備え、手動操作部が、その操作部分が外レールから露出するようガイドレール（１３０）の内部に設置され、ガイドレールの内部に配索されたケーブル（７０）を介してスクリーン巻き取り部と接続されていることが考えられる。
【００１４】
このようにすれば、上述のようにガイドレールが内レールと外レールとから構成されており、さらに外レールが取付部材と被覆部材とから構成されているので、これら部材の形状を工夫することによりガイドレールの内部に充分な空間を確保しやすく、その空間に手動操作部を設置するよう形成することが容易にできる。また、手動操作部全体をガイドレールの外部に配置する場合に比べて、外観を向上させることができる。また、手動操作部を被覆部材に予め取り付けておけば、施工時におけるスクリーン昇降装置の組立て工数を低減することができる。さらに、遠隔操作用ケーブルを上述のガイドレールの内部に配索すれば、遠隔操作用ケーブルをガイドレールの外部に配索する場合に比べて外観を向上させることができる。また、施工時に遠隔操作用ケーブルを接触等により損傷させることを防ぐことができ、施工時の影響による操作性の低下を防ぐことができる。
【００１５】
また、上述の一対のガイドレールを連結部材にて連結するようにしてもよい。具体的には、請求項５のように、一対のガイドレールにおける取付部材と被覆部材との間にその両端をそれぞれ挿入することにより一対のガイドレールを連結する連結部材（５０）を備えることが考えられる。この場合、取付部材または被覆部材の少なくとも一方が、連結部材を支持する支持部（３５，４５）を備えるようにしてもよい（請求項６）。このようにすれば、施工時に一対のガイドレールを連結部材によって容易に組み立てることができる。また、上述のように一対のガイドレールを連結部材にて連結することにより、施工時にガイドレールがねじれるのを防ぐことができる。
【００１６】
また、当該スクリーン昇降装置を設置する場合において、ガイドレールを床面に固定する際にそのガイドレールがねじれるおそれがある。そこで、請求項７のように、ガイドレール固定具（９０）をガイドレールの下端部が設置される床面に予め取り付けておき、このガイドレール固定具が、ガイドレールの下端部から挿入されることによりガイドレールがねじれるのを防止することが考えられる。このようにすれば、施工時にガイドレールがねじれるのを防ぐことができる。また、施工時にガイドレールに傾きが発生するのを防ぐことができる。また、ガイドレールにガイドレール固定具を挿入することにより、ガイドレールの姿勢を維持できるので、施工が容易となる。さらに、ガイドレールにガイドレール固定具を挿入することにより、ガイドレールの下端部が外力などにより閉じる方向に変形するのを防ぐことができる。
【発明を実施するための最良の形態】
【００１７】
以下に本発明の実施形態を図面と共に説明する。
［第一実施形態］
図１は第一実施形態のスクリーン昇降装置１の正面図である。また、図２はスクリーン１０を示す説明図であり、図３はスクリーン１０のウェイト１３を示す説明図であり、図４はスクリーン１０の取手１４を示す説明図であり、図５および図６はガイドレール３０を示す説明図であり、図７はスクリーン係止部３４を示す説明図であり、図８は目板５０を示す説明図であり、図９はガイドレール固定具９０を示す説明図である。また、図１２はスクリーン昇降装置１が取り付けられる構造物の開口面および壁面を示す説明図である。
【００１８】
なお、以降、このスクリーン昇降装置１において、スクリーン１０に対して右ガイドレール３０が配置されている側を「右側」とし、その反対側を「左側」とする(図１参照)。また、スクリーン昇降装置１において、スクリーンに対して目板５０が配置されている側を「上側」とし、その反対側を「下側」とする(図１参照)。また、スクリーン昇降装置１において、右側から左側を見た場合における右側を「前側」とし、その反対側を「後側」とする（図２（ｂ）参照)。
【００１９】
［スクリーン昇降装置１の構成の説明］
図１に示すように、本第一実施形態のスクリーン昇降装置１は、建物内に設置された壁などの構造物の開口部（図１２（ａ）参照）を閉鎖可能なスクリーン１０、スクリーン１０を収納可能なスクリーン収納部２０、ガイドローラ２１（図２（ｂ）参照）、遮煙ローラ２２（図２（ｂ）参照）、スクリーン１０を構造物の開口部に沿って上下方向に案内する右ガイドレール３０および左ガイドレール４０、目板５０、ラッチ６０、手動操作部８０およびガイドレール固定具９０を備えており、構造物の開口面（図１２（ａ）参照）や壁面（図１２（ｂ）参照）に取り付けられる。
【００２０】
［スクリーン１０の構成の説明］
このうちスクリーン１０は、図２（ａ）に示すように、複数の耐火シート１１から構成されている。具体的には、スクリーン１０は、幅約１２００ｍｍの細長い耐火シート１１をスクリーン昇降装置１の左右幅に合わせて裁断し、その裁断した耐火シート１１を横向きにして端部同士を、下側の耐火シート１１の上端部１１ａが上側の耐火シート１１の下端部１１ｂの後側になるよう縫製した構造を有している（図２（ｂ）参照）。また、スクリーン１０の端部１１ｃは、断面が略円形であるワイヤなどの線材１２を包み込むよう折り返されて縫製されている（図２（ｃ）参照）。
【００２１】
また、図１に示すようにスクリーン１０の下部には、錘としてのウェイト１３が取り付けられている。このウェイト１３は、図３に示すように、２つの板状のウェイトベース１３ａおよび２つのウェイトカバー１３ｂから構成されている。２つのウェイトベース１３ａは、板材であり、スクリーン１０の下部へ両側から挟み込むよう取り付けられている。また、ウェイトカバー１３ｂは、断面が略コの字状の長尺材であり、スクリーン１０の下部へ取り付けられた２つのウェイトベース１３ａを両側から覆うようにスクリーン１０へビスなどによって取り付けられている。また、ウェイトカバー１３ｂについては、他の部位と接触することを考慮して、樹脂などの柔らかい素材にて構成されている。なお、ウェイトベース１３ａとウェイトカバー１３ｂとの間には、空間が形成されており、この空間に錘を追加することにより、ウェイト１３の重さを調節することができる。この場合、ウェイトカバー１３ｂの横側から錘を挿入してもよいし、ウェイトカバー１３ｂに開口部を設け、その開口部から錘を挿入するようにしてもよい。また、施工時にウェイトカバー１３ｂをスクリーン１０から取り外しておけば、ウェイトカバー１３ｂに傷や汚れが付くのを防ぐことができる。なお、施工時にウェイトカバー１３ｂとともにウェイトベース１３ａを取り外してもよい。
【００２２】
また、図１に示すようにスクリーン１０におけるウェイト１３の上方の中央部には、取手１４が形成されている。具体的には、この取手１４は、図４（ａ）および図４（ｂ）に示すように、スクリーン１０と同一素材の生地である略長方形の耐火シート１５をスクリーン１０に縫製することにより袋状に形成されている。なお、この取手１４の位置については、スクリーン１０を閉鎖した状態において使用者が屈んだ際にその取手１４に手を差し入れやすい高さに設定されている（図１参照）。なお、本第一実施形態では、取手１４は、スクリーン１０の下端から約４０ｃｍの場所に形成されている。
【００２３】
［右ガイドレール３０の構成の説明］
図５（ａ）に示すように右ガイドレール３０は、内レールとしてのコア３１、外レールの取付部材としてのベース３２、外レールの被覆部材としてのカバー３３、スクリーン係止部３４（図７参照）、目板支持用ブラケット３５などから構成されている。
【００２４】
［コア３１の構成の説明］
コア３１は、図５（ｃ）に示すように、断面が略コの字状のステンレス製の長尺材であり、中央部３１ａ、翼部３１ｂ，３１ｃから構成されており、その内部には、スクリーン１０の端部１１ｃをスクリーン昇降装置１の上下方向に案内するガイド溝３１ｄが形成されている。なお、ガイド溝３１ｄは、スクリーン１０の端部１１ｃとコア３１との気密性を高めて火災時に煙が構造物の開口部を通過するのを防ぐためになるべく深く形成することが望ましい。また、コア３１の翼部３１ｂ，３１ｃの各先端部には、図６（ｂ）に示すように、ガイド溝３１ｄの内部へ向けて直角よりも若干大きく折り曲げることによりベース係止部３１ｅおよびカバー係止部３１ｆがそれぞれ形成されている。このことによりガイド溝３１ｄは、その入口の開口幅がその内部よりも狭く形成されている。そして、ベース係止部３１ｅおよびカバー係止部３１ｆの各先端部には、ガイド溝３１ｄの内側へ向けて折り返されることにより折り返し部３１ｇ，３１ｈがそれぞれ形成されている。なお、折り返し部３１ｇと折り返し部３１ｈとの間の距離は、スクリーン１０の端部１１ｃとコア３１との気密性を高めて火災時に煙が開口部を通過するのを防ぐために、スクリーン１０の端部１１ｃの厚みよりも若干狭く設定されている。また、翼部３１ｂには複数のビス取付孔３１ｉが穿孔されており、翼部３１ｃには複数のビス取付孔３１ｊが穿孔されている。なお、このコア３１については、コア３１のガイド溝３１ｄを移動するスクリーン１０の端部１１ｃの摺動性能を確保するため、塗装は施されてはいない。
【００２５】
なお、ベース係止部３１ｅは、取付部材係止部に該当し、カバー係止部３１ｆは被覆部材係止部に該当する。
［ベース３２の構成の説明］
ベース３２は、図５（ｂ）に示すように、断面が略コの字状のステンレス製の長尺材であり、中央部３２ａ、翼部３２ｂ，３２ｃから構成されている。このうち中央部３２ａには、図６（ｃ）に示すように、コア３１を支持するための複数のブラケット３２ｄが溶接などにより取り付けられている。また、翼部３２ｂ，３２ｃの各先端部には、ベース３２の内部へ向けて直角に折り曲げることにより前側コア係止部３２ｅ，後側コア係止部３２ｆが形成されている。また、中央部３２ａには、複数の挿通孔３２ｇが穿孔されており、翼部３２ｃには、複数のビス取付孔３２ｈが穿孔されている。また、翼部３２ｂの前側コア係止部３２ｅには、スクリーン係止部３４を取り付けるための長孔３２ｉが穿孔されている（図７（ａ）参照）。また、翼部３２ｂの外表面には塗装が施されている。
【００２６】
［カバー３３の構成の説明］
カバー３３は、図５（ｄ）に示すように、断面が略Ｌ字状のステンレス製の長尺材であり、平板３３ａ，３３ｂから構成されている。このうち平板３３ａの先端部には、図６（ｄ）に示すように、カバー３３の内部へ向けて直角に折り曲げることにより折り返し部３３ｃが形成されている。また、折り返し部３３ｃの先端部には、さらにカバー３３の内部へ向けて直角に折り曲げることにより前側コア係止部３３ｄが形成されている。また、平板３３ａには、コア３１のビス取付孔３１ｉに連通する複数の挿通孔３３ｅが穿孔されており、平板３３ｂには、ベース３２のビス取付孔３２ｈに連通する複数の挿通孔３３ｆが穿孔されている。また、カバー３３の外表面には塗装が施されている。
【００２７】
［スクリーン係止部３４の構成の説明］
また、図７に示すように、ベース３２の下部には、落下したスクリーン１０が持ち上げられるのを防止するスクリーン係止部３４が取り付けられている。具体的には、スクリーン係止部３４は、略くの字状の弾性体であり、その一端３４ａがベース３２の中央部３２ａに固定され、中央部３４ｂが翼部３２ｂの前側コア係止部３２ｅに穿孔された長孔３２ｉから外部へ突出し、他端３４ｃが翼部３２ｂの前側コア係止部３２ｅの内面側に当接する姿勢でベース３２に取り付けられている。
【００２８】
［目板支持用ブラケット３５の構成の説明］
また、図８（ａ）に示すように、上述のベース３２の上部には、目板５０を支持するための目板支持用ブラケット３５が、ベース３２の翼部３２ｂから、左ガイドレール４０へ向けて突出するようビスなどによって取り付けられている。また、目板支持用ブラケット３５には、ビス取付孔３５ａが穿孔されている。
【００２９】
なお、図８では、右ガイドレール３０の目板支持用ブラケット３５の参考例として左ガイドレール４０の目板支持用ブラケット４５を例示し、右ガイドレール３０の目板支持用ブラケット３５については、左ガイドレール４０の目板支持用ブラケット４５とは左右対称であるので図示を省略する。また、目板支持用ブラケット３５は支持部に該当する。
【００３０】
［コア３１、ベース３２およびカバー３３の組み立て手順の説明］
以上のような右ガイドレール３０のコア３１、ベース３２およびカバー３３については、次のように組み立てられている。すなわち、まずベース３２を、挿通孔３２ｇを貫通させたビスなどで構造物の開口面や壁面へ取り付ける。次に、コア３１を、コア３１の翼部３１ｂがベース３２の中央部３２ａに対向する姿勢とし、コア３１の翼部３１ｂがベース３２のブラケット３２ｄに当接するまでコア３１をベース３２の方へ移動させる。このとき、コア３１のベース係止部３１ｅが、ベース３２の前側コア係止部３２ｅに当接し、ベース３２の後側コア係止部３２ｆが、コア３１の中央部３１ａに当接する。さらに、カバー３３を、カバー３３の翼部３３ａの内表面がコア３１の翼部３１ｃに対向する姿勢とし、カバー３３の翼部３３ａの内表面がコア３１の翼部３１ｃに当接するまでカバー３３をコア３１の方へ移動させる。このとき、コア３１のカバー係止部３１ｆが、カバー３３の前側コア係止部３３ｄに当接する。そして、カバー３３の挿通孔３３ｅを貫通させたビスなどをコア３１のビス取付孔３１ｉに取り付け、カバー３３の挿通孔３３ｆを貫通させたビスなどをベース３２のビス取付孔３２ｈに取り付ける（図５（ａ）および図６（ａ）参照）。この際、ベース係止部３１ｅが、ベース３２を係止することによりベース３２がコア３１から離間するのを防止し、カバー係止部３１ｆが、カバー３３を係止することによりカバー３３がコア３１から離間するのを防止する。このことにより外レールと内レールとが互いに係止し合う。
【００３１】
［スクリーン収納部２０の構成の説明］
図１に示すようにスクリーン収納部２０は、スクリーン１０を巻き取り可能なドラムを備え、このドラムを回転させることによりスクリーン１０を収納可能に構成されている。
また、スクリーン収納部２０に収納されたスクリーン１０は、ドラムを回転させることにより引き出すことも可能である。なお、スクリーン収納部２０の各部構成については、公知技術にしたがっているのでここでは詳細な説明は省略する。
【００３２】
［左ガイドレール４０の構成の説明］
左ガイドレール４０は、右ガイドレール３０と同様に、コア、ベース、カバー、スクリーン係止部、目板支持用ブラケットなどから構成されている。なお、左ガイドレール４０の各部については、右ガイドレール３０の各部とは左右対称に構成されているので、ここでは詳細な説明は省略する。
【００３３】
［目板５０の構成の説明］
図８（ｂ）に示すように目板５０は、ステンレス製の長尺材であり、その両端が右ガイドレール３０のベース３２とカバー３３との間に形成された空間、および左ガイドレール４０のベース４２とカバー４３との間に形成された空間に挿入されている。また、目板５０の両端は、右ガイドレール３０の目板支持用ブラケット３５および左ガイドレール４０の目板支持用ブラケット４５によって支持されている。また、図８（ａ）に示すように、目板５０には、目板支持用ブラケット３５に穿孔されたビス取付孔３５ａに連通する２つの挿通孔５１が穿孔されており、これら挿通孔５１を貫通したビスなどが目板支持用ブラケット３５のビス取付孔３５ａに取り付けられることにより、この目板５０によって右ガイドレール３０と左ガイドレール４０が連結されている（図８（ｂ）参照）。なお、目板５０は連結部材に該当する。
【００３４】
［ガイドローラ２１および遮煙ローラ２２の構成の説明］
図２（ｂ）に示すようにガイドローラ２１は、目板５０に対向して配置され、スクリーン収納部２０から引き出されたスクリーン１０に当接して支持することによりそのスクリーン１０の進行方向を変更してガイドレールへ案内する。
【００３５】
また、遮煙ローラ２２は、ガイドローラ２１の下方に配置され、スクリーン収納部２０から引き出されたスクリーン１０に当接して支持することにより煙が構造物の開口部を通過するのを防止する。
【００３６】
［ラッチ６０の構成の説明］
また、図１に示すように目板５０の前面にはラッチ６０が取り付けられている。このラッチ６０は、スクリーン収納部２０に収納されたスクリーン１０の落下を阻止するよう構成されている。また、ラッチ６０は、遠隔操作用ケーブルなどによって手動操作部８０に接続されており、手動操作部８０が使用者によって操作された場合には、スクリーン収納部２０に収納されたスクリーン１０を落下させるよう構成されている。なお、ラッチ６０の各部構成については、公知技術にしたがっているのでここでは詳細な説明は省略する。
【００３７】
［手動操作部８０の構成の説明］
図１に示すように手動操作部８０は、フレキシブルコンジットの内部にワイヤーロープを通した構造を有する遠隔操作用ケーブル（図示省略）を介してラッチ６０を操作することができる。なお、手動操作部８０の各部構成については、公知技術にしたがっているのでここでは詳細な説明は省略する。
【００３８】
［ガイドレール固定具９０の構成の説明］
また、ガイドレール固定具９０は、図９（ａ）に示すように、平板９１の上面に断面が略コの字状のブラケット９２を取り付けることで構成されている。このうち平板９１の両端部には２つの挿通孔９１ａが穿孔されており、ビスなどによって床面に固定することができる。また、ブラケット９２は、右ガイドレール３０のコア３１や左ガイドレール４０のコアに下方から挿入可能に形成されている。
【００３９】
以上のように構成されたガイドレール固定具９０は、右ガイドレール３０および左ガイドレール４０が設置される床面にビスなどによって予め取り付けておき、ブラケット９２を右ガイドレール３０および左ガイドレール４０のコア３１，４１に挿入することにより、右ガイドレール３０および左ガイドレール４０の設置に用いられる。
【００４０】
なお、ガイドレール固定具９０は、図９（ａ）に示すように右ガイドレール３０用のものと左ガイドレール４０用のものとを別体に構成してもよいし、図９（ｂ）に示すように一体に構成してもよい（図９（ｂ）のガイドレール固定具１９０を参照。）。
【００４１】
［スクリーン昇降装置１の動作の説明］
次に、スクリーン昇降装置１の動作を、図１を参照して説明する。なお、以下の説明において、左ガイドレール４０については、右ガイドレール３０と同様なので詳細な説明は省略する。
【００４２】
まず、スクリーン１０がスクリーン収納部２０に収納された場合において手動操作部８０を使用者が操作すると、遠隔操作用ケーブル７０を介してラッチ６０が解除され、スクリーン１０が右ガイドレール３０および左ガイドレール４０のコア３１に案内されて落下する。落下するスクリーン１０のウェイト１３がスクリーン係止部３４に当接し、そのスクリーン係止部３４を一時的に変形させて乗り越え、スクリーン１０の下部が床面に到達すると、建物内に設置された壁などの開口部がスクリーン１０によって閉鎖され、火災時の煙を遮断することができる。また、火災時の気流や炎などが壁などの開口部を通過しようとしてスクリーン１０に圧力が作用しても、スクリーンのウェイト１３がスクリーン係止部３４によって当接するので、スクリーン１０が上昇するのを防ぐことができる。
【００４３】
一方、建物内に設置された壁などの開口部を開放する場合には、スクリーン１０の取手１４を利用してスクリーン１０を持ち上げる。すると、スクリーン１０は、右ガイドレール３０コア３１に案内されて上昇し、スクリーン収納部２０に収納される。上昇するスクリーン１０のウェイト１３がスクリーン係止部３４に当接し、スクリーン係止部３４を一時的に変形させて乗り越え、スクリーン１０の下部がラッチ６０に到達したらラッチ６０を復帰させてスクリーン１０が落下しないようにする。また、手動操作部８０を復帰させて次の操作に備える。
【００４４】
［効果］
このように第一実施形態のスクリーン昇降装置１によれば、スクリーン昇降装置１の各ガイドレール３０，４０（なお、以下の説明では、図５に示された右ガイドレール３０に関する符号を付す。）が、内レール（コア３１）と外レールとから構成されており、さらに、外レールがベース３２とカバー３３とから構成されている。このことにより、ベース３２の形状を構造物の壁面の形状に合わせることにより、例えば建物内の壁などの構造物の壁面へベース３２をビスやボルトなどで取り付け、さらに、内レールとしてのコア３１を内包するようにそのベース３２へカバー３３を固定するといった具合に、構造物の壁面にも各ガイドレールを取り付けることができる。つまり、例えばＬ字型のブラケットなどを用いなくても、外レールを構造物の壁面へ固定することができるので、その外観を損なうことなく、建物内の壁などの構造物に設けられた開口部の開口面だけでなく壁面へも取付可能とすることができる。
【００４５】
また、第一実施形態のスクリーン昇降装置１によれば、スクリーン昇降装置１の各ガイドレールが、内レールと外レールとから構成されており、さらに、外レールがベース３２とカバー３３とから構成されているので、内レールとしてのコア３１には塗装を施さずに外レールのみに塗装を施すことや外レールのカバー３３のみに塗装を施すことができ、スクリーン１０の摺動性能を維持することができる。
【００４６】
また、第一実施形態のスクリーン昇降装置１によれば、内レールとしてのコア３１の形状はそのままで外レールの形状を変更すれば、構造物に設けられた様々な形状の開口面や壁面に対して上述のガイドレールを取り付け可能とすることができる。
【００４７】
また、第一実施形態のスクリーン昇降装置１によれば、スクリーン１０の端部１１ｃがコア３１のガイド溝３１ｄによって案内されるよう構成されているので、スクリーンの端部１１ｃとコア３１のガイド溝３１ｄとの密着性を高めることにより、例えば各ガイドレールが内レールと外レールとに分割されていない場合に比べて、構造物の開口部を火災時の炎や煙などが通過するのを防ぐことができる。
【００４８】
また、第一実施形態のスクリーン昇降装置１によれば、各ガイドレールについては、ベース係止部３１ｅが、ベース３２を係止することによりベース３２がコア３１から離間するのを防止し、カバー係止部３１ｆが、カバー３３を係止することによりカバー３３がコア３１から離間するのを防止することにより、外レールと内レールとが互いに係止し合うように構成されている。このことにより、各ガイドレールが内レールと外レールとに分割され、外レールがベース３２とカバー３３とに分割されていてもこれら各部材が互いに係止し合うので、施工時などにガイドレールに作用するねじり応力に対する強度を高めることができる。
【００４９】
また、第一実施形態のスクリーン昇降装置１によれば、目板５０の挿通孔５１を貫通したビスなどが目板支持用ブラケット３５のビス取付孔３５ａに取り付けられることにより、この目板５０によって右ガイドレール３０と左ガイドレール４０が連結されるので、施工時にガイドレール３０，４０を目板５０によって容易に組み立てることができる。また、上述のようにガイドレール３０，４０を目板５０にて連結することにより、施工時にガイドレール３０，４０がねじれるのを防ぐことができる。
【００５０】
また、第一実施形態のスクリーン昇降装置１によれば、ガイドレール固定具９０をガイドレール３０，４０の下端部が設置される床面に予め取り付けておき、このガイドレール固定具９０が、ガイドレール３０，４０の下端部から挿入されることによりガイドレール３０，４０がねじれるのを防止するので、施工時にガイドレール３０，４０がねじれるのを防ぐことができる。また、施工時にガイドレール３０，４０に傾きが発生するのを防ぐことができる。また、ガイドレール３０，４０にガイドレール固定具９０を挿入することにより、ガイドレール３０，４０の姿勢を維持できるので、施工が容易となる。さらに、ガイドレール３０，４０にガイドレール固定具９０を挿入することにより、ガイドレール３０，４０の下端部が外力などにより閉じる方向に変形するのを防ぐことができる。
【００５１】
［他の実施形態］
以上、本発明の一実施形態について説明したが、本発明は上記実施形態に限定されるものではなく、以下のような様々な態様にて実施することが可能である。
【００５２】
（１）上記第一実施形態の各ガイドレールにおいては、コア、ベースおよびカバーを、ビスなどを用いて組み立てるよう構成されているが、これには限られず、図１１に例示する右ガイドレール１３０のように、ビスなどを用いずに組み立てるよう構成してもよい。以下に右ガイドレール１３０の各部の構成について説明する。なお、左ガイドレール１４０の各部については、右ガイドレール１３０の各部とは左右対称に構成されているので、ここでは詳細な説明は省略する。
【００５３】
［右ガイドレール１３０の構成の説明］
図１１（ａ）に例示するように右ガイドレール１３０は、内レールとしてのコア３１（図５（ｃ）および図１１（ｃ）参照）、外レールの取付部材としてのベース１３２、外レールの被覆部材としてのカバー１３３、スクリーン係止部３４（図７参照）、目板支持用ブラケット３５（図８参照）などから構成されている。なお、コア３１、スクリーン係止部３４および目板支持用ブラケット３５については、上記第一実施形態と同様なのでここでは詳細な説明は省略する。
【００５４】
［ベース１３２の構成の説明］
ベース１３２は、図１１（ｂ）に示すように、上記第一実施形態のベース３２と同様に、断面が略コの字状のステンレス製の長尺材であり、中央部１３２ａ、翼部１３２ｂ，１３２ｃから構成されている。このうち中央部１３２ａには、コア３１を支持するための複数のブラケット１３２ｄが溶接などによって取り付けられている。また、翼部１３２ｂ，１３２ｃの各先端部には、ベース１３２の内部へ向けて直角に折り曲げることにより前側コア係止部１３２ｅ，後側コア係止部１３２ｆが形成されている。また、中央部１３２ａと翼部１３２ｃとの境界部分には、カバー係止部１３２ｉが形成されている。また、翼部１３２ｂの前側コア係止部１３２ｅには、スクリーン係止部３４を取り付けるための長孔が穿孔されている（図示省略）。また、翼部１３２ｂの外表面には塗装が施されている。
【００５５】
［カバー１３３の構成の説明］
カバー１３３は、図１１（ｄ）に示すように、上記第一実施形態のカバー３３と同様に断面が略Ｌ字状のステンレス製の長尺材であり、平板１３３ａ，１３３ｂから構成されている。このうち平板１３３ａの先端部には、カバー１３３の内部へ向けて直角に折り曲げることにより折り返し部１３３ｃが形成されている。また、折り返し部１３３ｃの先端部には、さらにカバー１３３の内部へ向けて直角に折り曲げることにより前側コア係止部１３３ｄが形成されている。また、平板１３３ｂの先端部には、さらにカバー１３３の内部へ向けて直角に折り曲げることによりベース係止部１３３ｇが形成されている。また、カバー３３の外表面には塗装が施されている。
【００５６】
［コア３１、ベース１３２およびカバー１３３の組み立て手順の説明］
以上のような右ガイドレール１３０のコア３１、ベース１３２およびカバー１３３については、次のように組み立てられている。すなわち、まずベース１３２を、挿通孔１３２ｇを貫通させたビスなどで構造物の開口面や壁面へ取り付ける。次に、コア３１を、コア３１の翼部３１ｂがベース１３２の中央部１３２ａに対向する姿勢とし、コア３１の翼部３１ｂがベース１３２のブラケット１３２ｄに当接するまでコア３１をベース１３２の方へ移動させる。このとき、コア３１のベース係止部３１ｅが、ベース１３２の前側コア係止部１３２ｅに当接し、ベース１３２の後側コア係止部１３２ｆが、コア３１の中央部３１ａに当接する。さらに、カバー１３３を、カバー１３３の翼部１３３ａの内表面がコア３１の翼部３１ｃに対向する姿勢とし、カバー１３３の翼部１３３ａの内表面がコア３１の翼部３１ｃに当接するまでカバー１３３をコア３１の方へ移動させ、カバー１３３のベース係止部１３３ｇをベース１３２のカバー係止部１３２ｉに係止させる。このとき、コア３１のカバー係止部３１ｆがカバー１３３の前側コア係止部１３３ｄに当接し、カバー１３３のベース係止部１３３ｇがベース１３２のカバー係止部１３２ｉと係合する。この際、ベース係止部３１ｅが、ベース１３２を係止することによりベース１３２がコア３１から離間するのを防止し、カバー係止部３１ｆが、カバー１３３を係止することによりカバー１３３がコア３１から離間するのを防止する。この際、ベース係止部３１ｅが、ベース１３２を係止することによりベース１３２がコア３１から離間するのを防止し、カバー係止部３１ｆが、カバー１３３を係止することによりカバー１３３がコア３１から離間するのを防止する。
【００５７】
このことにより、各ガイドレールが内レールと外レールとに分割され、外レールがベース３２とカバー３３とに分割されていてもこれら各部材が互いに係止し合うので、施工時などにガイドレールに作用するねじり応力に対する強度を高めることができる。また、ビスなどを用いない分部品加工工数や組立て工数を低減することができる。
【００５８】
（２）上記第一実施形態では、スクリーン１０の端部１１ｃには、断面が略円形であるワイヤなどの線材１２が包み込まれているが、これには限られず、柔軟に曲げることができるとともに、引っ張り強度が強い素材であれば、他の線状物でもよい。一例を挙げると、線状のゴム材や線状の発泡材などである。このように構成しても上記第一実施形態と同様の作用効果を奏する。
【００５９】
（３）上記第一実施形態では、ウェイトカバー１３ｂが、スクリーン１０の下部へ取り付けられた２つのウェイトベース１３ａを両側から覆うようにスクリーン１０へ取り付けられているが、これには限られず、追加用錘をウェイトベース１３ａとウェイトカバー１３ｂとの間の空間に収納することができれば、他の構造としてもよい。一例を挙げると、ウェイトカバー１３ｂの上部や側部などに開口部を設定し、その開口部から追加用錘を収納するといった具合である。このように構成しても上記第一実施形態と同様の作用効果を奏する。
【００６０】
（４）上記第一実施形態では、取手１４がスクリーン１０の中央部に形成されているが、これには限られず、図４（ｃ）に例示するように、スクリーン１０の中央部以外の場所に、上述の耐火シート１５を縫製することにより２つの取手１１４を形成するようにしてもよい。また、図４（ｄ）に例示するように、上述のようにスクリーン１０の中央部に形成された取手１１５を、縦方向に形成された縫い目１１５ａによって２つの袋１１５ｂに分割するよう構成してもよい。また、図４（ｅ）に例示するように、上述のようにスクリーン１０の中央部に形成された取手１１６を、横方向に形成された縫い目１１６ａによって２つの袋１１６ｂに分割するよう構成してもよい。
【００６１】
（５）また、図１０に示すように、右ガイドレール１３０の内部に手動操作部８０を収納するための空間を確保することにより、右ガイドレール１３０に手動操作部８０を取り付けることもできる。具体的には、この手動操作部８０は、その操作部８１が右ガイドレール１３０のカバー１３３に設けられた開口部１３４から外部に露出するよう右ガイドレール１３０の内部に設置されている。なお、操作部８１は操作部分に該当する。このようにすれば、手動操作部８０全体を右ガイドレールの外部に配置する場合に比べて、外観を向上させることができる。
【００６２】
また、手動操作部８０は、フレキシブルコンジットの内部にワイヤーロープを通した構造を有する遠隔操作用ケーブル７０を介してラッチ６０を操作することができる。また、このように遠隔操作用ケーブル７０を右ガイドレールの内部に配索すれば、遠隔操作用ケーブル７０を右ガイドレールの外部に配索する場合に比べて外観を向上させることができる。また、施工時に遠隔操作用ケーブル７０を接触等により損傷させることを防ぐことができ、施工時の影響による操作性の低下を防ぐことができる。
【００６３】
さらに、手動操作部８０をカバー３３に予め取り付けておけば、施工時におけるスクリーン昇降装置１の組立て工数を低減することができる。
【図面の簡単な説明】
【００６４】
【図１】第一実施形態のスクリーン昇降装置の正面図である。
【図２】（ａ）はスクリーンを示す説明図であり、（ｂ）はスクリーンを構成する耐火シートの縫製状態を示す説明図であり、（ｃ）はスクリーンの端部を示す説明図である。
【図３】スクリーンのウェイトを示す説明図である。
【図４】（ａ）はスクリーンの取手を示す説明図（１）であり、（ｂ）はスクリーンの取手を示す説明図（２）であり、（ｃ）はスクリーンの取手の他の実施形態を示す説明図（１）であり、（ｄ）はスクリーンの取手の他の実施形態を示す説明図（２）であり、（ｅ）はスクリーンの取手の他の実施形態を示す説明図（３）である。
【図５】（ａ）は第一実施形態のガイドレールを示す説明図（１）であり、（ｂ）はベースを示す説明図（１）であり、（ｃ）はコアを示す説明図（１）であり、（ｄ）はカバーを示す説明図（１）である。
【図６】（ａ）はガイドレールを示す説明図（２）であり、（ｂ）はコアを示す説明図（２）であり、（ｃ）はベースを示す説明図（２）であり、（ｄ）はカバーを示す説明図（２）である。
【図７】（ａ）はスクリーン係止部を示す説明図（１）であり、（ｂ）はスクリーン係止部を示す説明図（２）である。
【図８】（ａ）は目板を示す説明図（１）であり、（ｂ）は目板を示す説明図（２）である。
【図９】（ａ）はガイドレール固定具を示す説明図であり、（ｂ）はガイドレール固定具の他の実施形態を示す説明図である。
【図１０】手動操作部を他の実施形態のガイドレールに取り付けた様子を示す説明図である。
【図１１】（ａ）は他の実施形態のガイドレールを示す説明図であり、（ｂ）は他の実施形態のベースを示す説明図であり、（ｃ）は他の実施形態のコアを示す説明図であり、（ｄ）は他の実施形態のカバーを示す説明図である。
【図１２】スクリーン昇降装置が取り付けられる構造物の開口面および壁面を示す説明図であり、（ａ）はスクリーン昇降装置が構造物の開口面に取り付けられた様子を示した図であり、（ｂ）はスクリーン昇降装置が構造物の壁面に取り付けられた様子を示した図である。
【符号の説明】
【００６５】
１…スクリーン昇降装置、１０…スクリーン、１１…耐火シート、１１ｃ…耐火シートの端部、１２…線材１２、１３…ウェイト、１４…取手、２０…スクリーン収納部、２１…ガイドローラ、２２…遮煙ローラ、３０…右ガイドレール、３１…コア、３１ｄ…ガイド溝、３２…ベース、３３…カバー、４０…左ガイドレール、５０…目板、６０…ラッチ、８０…手動操作部、９０…ガイドレール固定具
【図１】
2006063738.tif 000003
【図２】
2006063738.tif 000004
【図３】
2006063738.tif 000005
【図４】
2006063738.tif 000006
【図５】
2006063738.tif 000007
【図６】
2006063738.tif 000008
【図７】
2006063738.tif 000009
【図８】
2006063738.tif 000010
【図１０】
2006063738.tif 000011
【図１１】
2006063738.tif 000012
【図１２】
2006063738.tif 000013
【図９】
2006063738.tif 000014